(57)【要約】      （修正有）【課題】車両への設置が容易であり、瞬時に精算が可能であり、防犯上優れた効力を有する料金支払精算装置を提供する。【解決手段】送受信装置３、記録媒体読み取り装置４、前記各装置を制御するための記録部４１をもった制御装置７を組み込んだ無線装置本体２と、前記送受信装置３からの送信と受信をするためのアンテナ８とを有し、少なくとも前記アンテナ８がナンバープレートに組み込まれていると共に前記アンテナ８と送受信装置３とを有線または無線手段により相互接続させたことを特徴とする、料金支払精算装置。【選択図】図１
2013089222.tif 000002
【特許請求の範囲】
【請求項１】
送受信装置、記録媒体読み取り装置、記録部を複数もった前記各種を御製するための御製装置を組み込んだ無線機本体と、前記送受信装置で送信及び受信をするためのアンテナを有し、少なくとも前記アンテナが前記無線装置本体と、別体に形成されているとともに、前記アンテナと送受信装置とが有線又は無線手段によりお互いに接続されていることを特徴とするナンバープレートによる等による料金請求支払情報を管理し、前記料金の収集及び、前記事項の情報を管理するためのシステムの可動を行い、前記発信した料金清算金額を前記ナンバープレーにより個別指定された料金支払口座に送信し、前記送信した料金の受領を完了する機能を有し、該料金不清算においては、別途支払を担保する料金支払担保部所に前記未収である料金金額を適宜累積し、送信し記録加算する料金清算機能を備えた料金支払担保機能を有する料金支払清算装置。
【請求項２】
前記料金支払清算装置本体における記録媒体読み取り装置が、新規に収録した記録情報を記録媒体に指定されている条件により情報の書き換え、情報の追加又は情報の削除が可能である請求項１記載の料金支払清算装置。
【請求項３】
前記、無線機がプレート形式である請求項１のまたは２の料金支払清算装置。
【請求項４】
前記、無線機本体が通信用機器に接続可能な請求項１又は２又は３記載の料金清算支払装置。
【請求項５】
前記、プレートである無線機本体がアンテナを具備する事を技術的に特長とする前記料金支払清算装置。
【請求項６】
前記、アンテナと無線機が特定の条件により作動する事を可能である請求項１，２，３，４，５の料金支払清算装置。
【請求項７】
前記、記憶媒体読み取り装置により、読み取られる記録媒体の種類に応じて前記送受信装置に用いる無線の種類を変化される請求項１，２，３，４，又は５，６，の料金支払清算装置。
【請求項８】
前記、送受信装置が行った送受信を確認するための確認装置が無線機本体、アンテナの何れかに備えられているか、または前記無線機本体及び、アンテナと同体、又は別体として備えられていると共に、前記確認装置本体が無線装置本体およびアンテナと別体にそなえられている場合は無線機本体又はアンテナと確認装置とが有線または無線手段により互いに接続されている請求項１，２，３，４，または５，６，７記載の料金支払清算装置。
【請求項９】
前記、無線機本体、または確認装置の少なくとも１つが着衣または車両の車体に装着可能である請求項１，２，３，４，５，６，７又は８記載の料金支払清算装置。
【請求項１０】
前記、アンテナが車両のハンドルを含む車体の前後部に装着され、且つ前記前後部に装着されたアンテナが同一記号によりペアーとして連携され機能が得られる事を必須条件とする前記料金支払清算装置。
【請求項１１】
前記、料金支払清算装置本体がプレート又は車体に設置される事を可能とする前記請求項１，２，３，４，５，６，７，８，９記載の料金清算情報読取装置。
【請求項１２】
前記、請求項１，２，３，４，５，６，７，８，９，１０又は１１記載の料金支払清算装置本体に組み込まれたアンテナにより送受信する事により、前記料金支払清算装置本体が得た外部電気シグナルに反応し、該反応により前記アンテナを具備した料金支払清算装置の所在を送受信する事を可能とした機能を有する前記請求項記載の無線機を有する料金支払清算装置。
【請求項１３】
前記、請求項記載の１，２，３，４，５，６，７，８，９，１０，１１，又は１２記載の料金支払清算装置が車検登録システムに接続し、料金を担保する事を可能とした前記料金支払清算装置。
【請求項１４】
前記、請求項１２に記載した事項における送受信が、例えばビーコンである料金支払清算装置。
【請求項１５】
前記、請求項１０記載の車体前後部に装着されたアンテナが、同一記号ではないペアー、又は単一記号により装着された場合に、無線により前記防犯理システムに瞬時に通報される機能を有する盗難防止装置。
【請求項１６】
前記、無線機本体、または前記確認装置の少なくとも１つが着衣又は車両本体に着装可能である車両追跡用防犯装置。
【発明の詳細な説明】
【０００１】  本発明は、例えば各種の用途に利用が可能な料金支払清算装置であって、特に超高速に前記支払清算を行うと共に、自他送受信装置による信号（例えばビーコンのような）を用いた物体の位置の発信、更には移動体に設置した前記送受信装置を利用した個別位置認識の送信による広域防犯機能による犯罪捜査及び防止装置に関するものである。
【背景技術】
【０００２】  従来、クレジットカード、鉄道の改札用カード、携帯電話、ＩＴ機器などの現金を伴わない料金支払方法が示されている。これらの支払いシステムは現金を持ち歩く必要がなく、その金銭所持により発生する危険性はないなどの利点などを多くの利点を有している。【０００３】  加えて、例えば、高速道路（有料路線）における走行料金の料金収納システム（ＴＥＣ）における、鉄道料金の収集、商品販売店における料金集金などの支払を非接触で瞬時に行うシステムへの利用も既に行われている。【０００４】  ところが、自動車料金収受システム（ＥＴＣ）は一般にアンテナを支払装置に内蔵したり、車内に取り付けをするなど、車両デザイナーが総括的にデザインした見事な調和崩し、且つ車内的整備の景観を損ね車内機を取り付けねばならず、更には有料道路の通過には、事故渋滞の発生とも言えるバーの開閉があり、利用者に不親切、且つ危険であった。【０００５】  そして、前記［ＥＴＣ］は一般に二輪車への対応がなかった。その原因は車外にＥＴＣ機器本体が設置された結果の走行中の振動や、風雨時における走行中の振動により風圧と雨水への対策がなかった事が判明している。  更に、特開２００３−１２３１０７号公報に掲示されているようにヘルメットに内蔵するなどのように、別途に専用の支払装置を準備しなければならず、経済的問題もある。  また、携帯電話や鉄道カード等は内部に情報の送受信を含めて殆どが収納されており、形態に便利で特に携帯電話は通信機能がある事から各種の用途に使用する事も可能であり、カードは普及された。【０００６】  ところが、携帯電話や鉄道の多くは、発信信号を他人に読みとられる事をなかなか防御しずらい。【特許文献１】特開２００３−１２３１０７号公報
【発明の開示】
【発明が解決しようとする課題】
【０００７】  本発明が解決しようとする課題は、瞬時に精算が可能であることはいうまでもなく、各種の用途に使用する事が可能で、極めて便利で使い勝手がよく、更に高速道路の出口におけるバーの開閉は走行の遅延や、衝突事故などがあったが本発明により全て回避される。又本発明は防犯に優れた機能を発揮し、犯罪捜査においても一定の特定した無線信号による追尾、又は信号の強弱を利用した事態の切迫を通知する機能を有する防犯機能を有する料金支払清算装置を提供するものである。
【課題を解決するための手段】
【０００８】  前記課題を解決するため本発明であるる料金支払清算装置は、受送信装置、記録媒体読み取り装置、その他前記各装置を御製するための記録部をもった制御装置を組み込んだアンテナとを有し、少なくとも前記アンテナが無線装置本体の別体、又は同体に形成されているとともに、前記アンテナと送受信装置とが有線または無線手段によりお互いに接続されている事を特徴とする。【０００９】  また、無線機本体がナンバープレートやその他車両部分である場合、前記無線装置と前記アンテナとが特定の条件で作動する場合、前記記録媒体読み取り装置によって読み取られる記録媒体の種類に応じて前記送受信装置に用いられる無線の種類を変化させる場合、前記送受信装置が行った送受信を確認するための確認装置を備えられている場合には更によい。【００１０】  なお、前記すべての装置の外に、この発明の料金支払清算装置は、前記車両本体が得た外部からのシグナルに反応する送受信装置をナンバープート又は前記アンテナに備えているから、外部からの呼びかけに反応するシグナルを発信し、その発信位置を呼びかけに対応しシグナル発信の位置を示す機能を有していることから、車両本体の位置を常に明確に示すことが可能である。【００１１】  上記、発信装置は特定のシグナルにのみ有効に反応し、その有効な呼びかけは特定の送受信装置により得ることができる。
【発明の効果】
【００１２】  本発明によれば、アンテナと送受信装置本体を別体として用いてもよく、有線または無線手段により相互接続されるようにしたものであり、所望の送受信装置に併せて所望のアンテナを使用することになり、各種異種の用途の料金支払清算装置として使用する事ができ、従来のカードや形態電話のように無線機本体を清算時に読み取り装置に接近させる必要しない。【００１３】  又、無線機本体が複数分離不可能な構成により機能するナンバープートである事により、車両盗難や前記ナンバープレートが一定の位置から切り離された場合、即時に前記送受信装置による独自の所在確認のための発信が開始されることにより防犯的機能が発揮され防犯上、極めて有利である。【００１４】  なお、前記無線機が車両に固定されている事から、従来の様にカードを必要とせず、カード紛失盗難の心配もなく、支払うべき料金は使用毎、支払者個人の支払い契約指定口座に前記送受信装置に組み込まれた料金請求記録媒体に記録された直後、別途送信装置により送信され、一定の契約支払日に自動的に前記指定の口座から引き落とされるから、現金所持の必要もなく車両に乗ったまま支払え、且つ、一定の近距離における清算も可能であり、且つ支払用件も知る事が出来るのみか、前記支払が遅延し、且つ未払いが続行つづ、更に、料金が支払われなかった場合、最終的に車検取得時これを回収する事を可能とする記憶装置をも備えた事を特徴とする。【００１５】  加えて、前記無線装置が記録媒体読み取り装置によって読み取られる記録媒体の種類に応じて前記送受信装置に用いられる無線の種類を変化される場合には、１つの無線装置で各種の用途に使用できるので便利である。
【発明を実施するための最良の形態】
【００１６】  次に、本発明を実施するための最良の形態について説明する。【００１７】  図１は、好ましい実施の形態を示すもので、ナンバープレイト１、無線装置本体２に少なくとも送受信装置３、記録媒体読み取り装置４、前記各装置を制御するための記録部４１、位置確認発信装置６をもった制御装置７が組み込まれていると共に、本実施の形態で例えば特定した契約により相互関係を有線、又は線連により連絡し送受信確認した後、その特定された双方に前記ナンバープレート１に装置された前記アンテナ８を通じ前記有線、又は無線により金額の入出を可能とする機能を記録部５に備える事も可能である料金支払請求装置９。【００１８】  また、本実施の形態では、前記料金支払清算装置９のすべてがアンテナ８がナンバープレート１、又は車両本体に組み込まれていることから、カードなどの必要がなく、紛失盗難もない。  更に、図２が示すように車両の前後に取り付けられる２枚のナンバープレート１は、前後ペアーとして同一の電気的送受信、又は一定特別周波により同調した関係にあり、これら同調は予め一定の位置によりその効果を示するように各個設定されている事を図示したものであり、この設置位置が崩れると、本料金支払清算装置９は、支払い機能を閉ざし、唯一破壊信号、例えばビーコンによる電波が発信され、緊急事態の発生を告げる機能がある。又、このビーコンは固定場所に限定されず、携帯式受信機により前記発信を受信し該データを記録する事が可能である。【００１９】  図３は、本実施における一つの形態を示すものである。前記送受信装置３は常に支払いに予定される補充金額を前記料金支払清算装置９の記憶媒体読み取り装置４に記憶し、該金額を車両本体に設置された金額支払表示装置１０に示す事が可能であり、更にこれらの機能は即時に支払い金額の保有額をも表示するから極めて管理が確実である事を図示したものである。【００２０】  図４は、本発明を二輪車の自動料金支払清算装置９に組み込んだ形態を示したものであるが、この二輪車における場合にもナンバープレート１の位置は夫夫一定し、装着され、前記車両本体に設置された料金支払清算装置９は前記設置位置によってのみ機能を発揮する事を図示したものであり、この設置形態が破壊されると本発明は警報発信機能のみが有効となる。【００２１】  本発明の料金支払清算装置９は、高速道路の走行入出にあたり、料金所を必要としない。全て料金は前記記載した機能により、自動的に本発明の料金支払清算装置の記録部に記録登録された後、使用者の特定した口座から随時、又は契約による期日に自動的に引き落とされ清算される。料金請支払額の清算は発明により設定した場所の料金検出ポイントを通過する前記ナンバープレート１を読み取るだけでよく、送受信による支払清算済み確認及び記録ににより料金の清算が完了するので、支払確認によるバーの開閉が行われている現在のバー開閉システムの必要はなく、支払場所による車両走行の速度の減速は必要はないからバー開閉により生じている現在の車両の渋滞もなく、前記バーに衝突する危険もなく極めてスムーズな走行が可能である。【００２２】  以上のように本発明は、各種、各形態の料金の支払いが可能であるのみか、従来の支��い、例えば一例を上げれば、現在のＥＴＣにおけるすべての不満と危険や愛車本体にＥＴＣ本体を設置する為の場所を必要とし、更には車内の美観を損なうなどの欠点や、工事及びその費用の必要もなく、これらの不満をも解消する利点を有している。前記支払清算に対する対応処置も、銀行又はクレジットカードの清算と同一で、本機能にクレジット機能を特約すれば車両移動時の不意の現金必要にも対応する事ができ、而カード忘れや、紛失という危険もない。  前記機能は本発明の活用の極めて狭意においての記載であり、更に別途、各種に用いる事が可能である、ここで特記すべきは現在、更には来る近々における危険性の増加に対する防犯対策においても、本発明はその威力を示す事が出来る。  前述した防犯の一例は、本装置に組み込まれた位置特定発信手段の一例として、位置特定ビーコンの発信を記載したが、本発明はそれに限定されない。  前記ビーコンに代え本装置に特殊、且つ特定の自動波長発信装置を備え、走行する事を利用して個別特定に契約された建物、施設等に設置した防犯器具からの発信を受信傍受し、該対象物の異常の有無を隠密、かつ無音で傍受する事も可能であり、紛失、盗難、誘拐、凶行又は放射線の発見などあらゆる捜索に役立つこのも可能である事は言うまでもない。更に自宅と離れるような場合、特定の契約により本発明ある料金支払清算装置に具備した前記送受信装置の送受信機能の出力を上げ、該バリアにより不在自宅を安全に管理をする事も極めて容易である。
【図面の簡単な説明】
【００２３】
【図１】本発明の好ましい実施の形態における略図を示す説明図
【図２】本発明の異なる実施の形態における使用状態を示す説明図
【図３】本発明の別の司摂氏の形態における使用状態を示す説明図
【図４】本発明の更に異なる実施の形態における使用状態を示す説明図
【符号の説明】
【００２４】  １  ナンバープレート・          ２  無線装置本体・    ３  送受信装置  ４  記録媒体読み取り装置・    ４１  記録部・    ６  位置確認発信装置  ７  制御装置・  ８  アンテナ    ９  ビーコン送受信装置１０  金額支払表示装置
【図１】
2013089222.tif 000003
【図２】
2013089222.tif 000004
【図３】
2013089222.tif 000005
【図４】
2013089222.tif 000006
【手続補正書】
【提出日】平成24年10月9日(2012.10.9)
【手続補正１】
【補正対象書類名】特許請求の範囲
【補正対象項目名】全文
【補正方法】変更
【補正の内容】
【特許請求の範囲】
【請求項１】
送受信装置、記録媒体読取装置、記録部を各複数もった前記各種を御製するための御製装置を組み込んだ各種別により送受信する事が可能な無線機本体と、該無線機における送受信装置において送受信するためのアンテナを有し、少なくとも前記アンテナが前記無線機本体と別体又は同体に形成されていると共に、前記アンテナと送受信装置とが有線又は無線手段によりお互いに接続されている事を特徴とする前記無線装置において、各種の情報を瞬時に受信し、該受信した各種別の受信内容を自動的に識別記録し、自動的に識別記録した前記各種の情報を管理記録すると共に、該情報を自動的に処理する事が可能な機能を有する無線機本体の機能において、例えば躊躇な一例をあげれば、任意に特定した或る固有符号を付した固体の移動経緯を瞬時に読み取り記録部に送信記憶し、該瞬時に読み取った移動情報の推移を正確に把握し、又、前記移動固体の位置についての各種の呼びかけ発信等に即時応答する機能を有すると共に、前記固体の移動に課金が必用であれば、該課金システムの設定に従い処理演算し、該収集演算した情報により処理すべき口座を検出し、課金の収集を行い、該指定した口座に資金が不足した場合には再度の収集を設定した度数任意で行い、これにより収集が不能であった場合には、例えば車検時に収集するという機能をも具備する前記課金の収集能力を備えた情報読取処理システムでもある。
前記の情報読取処理システムに併用する車両の高速走行時による課金情報読み取り処理は、極めて高速である読取処理の実績を示している。
この高速走行による情報読取処理の完成は、風雨及びＧテストも行われた。
尚本発明に利用する情報の読取は前記電子的のみならず、用途により別種の電子的又は音波的・色波などによる情報読取手段でもよく、これらの情報追跡の機能は、前記移動体に個別の符号を付してあれば該個別符号から自発的又は誘発的に得られるエネルギーにより情報を発信を得られる。
例えば、ビーコン及び衛星等による追跡発信でもよく、又  前記の携帯、又は固定情報読取処理システム機本体による追跡機能により追跡する対象位置を発見する事もできる。尚、前記発信は固有電源、又は呼びかけにより応答する誘発的エネルギーを備えた事にも特徴があり、前記の無線機本体の機能を備えた前記情報読取処理システム。
【請求項２】
前記情報読取処理システムにおける記録媒体読取装置が、新規に収録した記録情報を記録媒体に指定されている条件により情報の書き換え、情報の追加又は情報の削除が可能である請求項１記載の情報読取処理システム。
【請求項３】
前記無線機がプレート形式である請求項１のまたは２の情報読取処理システムであるが該プレーとの位置は組み合わせ等により位置が決定され機能するものであるから、例えば事故、犯罪等により前記プレーとの位置が異なると自動的に即時指定した部署に送信される。
【請求項４】
前記、無線機本体が通信用機器に接続可能な請求項１又は２又は３記載の情報読取処理システム。
【請求項５】
前記、プレートである無線機本体が、電子・音波・色波等を受信可能であるアンテナにより有線、又は無線により接続されている事を技術的に特長とする前記の情報読取処理システム。
【請求項６】
前記、アンテナと無線機が特定の条件により作動する事を可能である請求項１，２，３，４，５の情報読取処理システム。
【請求項７】
前記、情報読取処理システムの読取装置により、読み取られる記録媒体は、その種類に応じて前記送受信装置に用いる無線の種類を変化する事が可能な請求項１，２，３，４，又は５，６，の情報読取処理システム。
【請求項８】
前記、送受信装置が行った送受信を確認するための確認装置が無線機本体、アンテナの何れかに備えられているか、または前記無線機本体及び、アンテナと同体又は別体として備えられていると共に、前記確認装置本体が無線装置本体およびアンテナと別体にそなえられている場合は無線機本体又はアンテナと確認装  置とが有線または無線手段により互いに接続されている請求項１，２，３，４，または５，６，７記載の情報読取処システム。
【請求項９】
前記、無線機本体、または確認装置の少なくとも１つが着衣または車両の車体に装着可能である請求項１，２，３，４，５，６，７又は８記載の情報読取処理システム。
【請求項１０】
前記、アンテナが車両のハンドルを含む車体の前後部に装着され、且つ前記前後部に装着されたアンテナが同一位置及び同一条件によりペアーとして連携されて機能が得られる事を必須条件とする前記情報読取処理システム。
【請求項１１】
前記、課金精算における該装置本体が車両に設定したプレート又は車体に設置される事が可能である前記請求項１，２，３，４，５，６，７，８，９記載の情報読取処理システム。
【請求項１２】
前記、請求項１，２，３，４，５，６，７，８，９，１０又は１１記載の情報読取処理システムの装置本体に組み込まれたアンテナにより送受信する前記の課金精算装置本体が受信した前記各種のシグナルに前記の情報読取処理システムは反応するが、該反応により前記各種の機能を有するアンテナにより課金の全情報を処理する事を可能とした前記全部の請求項記載の無線機能を有する情報読取処理システム。。
【請求項１３】
前記、請求項記載の１，２，３，４，５，６，７，８，９，１０，１１，又は１２記載の情報読取処理システムが、車検登録システムに接続した場合に前記未納課金を車検場の受信装置に即時通報し課金未納の有無を通知し、また、当該車両に過去に送信された各種の要求事項、例えば警備的呼びかけなどの固体固有の情報を車検場に備えたシステムには前記登録時には即時に担当箇所に自動的に通報し、それら情報に対する処置の未処理を警告するなど通報機能を可能とした前記情報読取処理システム。
【請求項１４】
前記、請求項１２に記載した事項における送受信が、例えば自電源、又は反応型起電源を有するビーコンを備えた情報読取処理システム。
【請求項１５】
前記、請求項１０記載の車体前後部に装着されたアンテナが、同一位置及びペアー、又は単一記号により装着された場合にのみ効果を発する事となる前記防犯機能であるビーコン・システムを有する情報読取処理システムにおいて、予め設定されたデータに反した場合には瞬時に通報する機能を有する盗難防止装置を組み込んだ請求項１の情報読取処理システム。
【請求項１６】
前記、無線機本体または前記固体確認符号の内の少なくとも１つが着衣又は車両本体に定着されている固体追跡装置を備えた請求項１の情報読取処理システム。
【手続補正２】
【補正対象書類名】明細書
【補正対象項目名】全文
【補正方法】変更
【補正の内容】
【発明の詳細な説明】
【背景技術】
【０００１】  本発明は、例えば各種の用途に利用が可能な情報読取処理システムであり、特に極めて瞬時に移動する固体情報を読取り、且つ定められた条件により演算処理し、且つ、その情報を記録し、該記録した情報を引き出し新規情報と対比清算する事により絶えず最新の固体情報を記憶し、固体の所在位置を明らかにする。
前記送受信装置により個別位置認識の送受情報が絶えず管理されている事、及び衛星通信を利用した宇宙的通信システムを応用した自発的又は誘発的エネルギー源による送受信機能により、例えばビーコンにより広域的空間を防犯領域としてカバーする機能を有する事から防犯及び犯罪情報への寄与、更にはこれらを応用し走行車両、又は遺失物の位置を明確にできるという効果がある。
【背景技術】
【０００２】  本発明の一つの応用的用途を述べれば、従来・クレジットカード・交通用改札用カード・携帯電話・ＩＴ機器などの現金を伴わない料金支払方法が示されている。これらの支払いシステムは現金を持ち歩く必要がなく、その金銭所持により発生する煩わしさ、及び危険性を解消するなどの多くの利点を有している。【０００３】加えて、例えば、高速道路（有料路線）における走行料金の料金収納システム（ＴＥＣ）においては路線交通料金の収集、商品販売店における料金集金などの支払を非接触で瞬時に行うシステムへの利用も既に行われてはいる。【０００４】しかし、自動車料金収受システム（ＥＴＣ）は、車載機なる機械を一般に車内に取り付ける事が法律で規定され、結果アンテナをも内蔵し大型化した支払装置を車内に取り付けをするなど、我々皆が車両を購入する場合において重視するデザイン性が無視されている。
且つ車内的整備の景観を損ねるばかりか、車載機の取つけにより車内が狭くにり、結果、車内行動にもいくばくかの制限が課せられている。又、最大の欠点は現在の車載機機能の利用にゲートバーがあるという不備がある。前記バーの開閉にはスピードを落とし、助走的走行が不可欠であり、結果渋滞が発生しているという大欠陥が、更なる新設道路の必用を促し節税に反している。
そして最大の欠点は、バー開閉の遅さが通行の遅延を引き起こし、バー衝突の危険性とも重なり楽しかる可き日を破壊するということである。【０００５】そして、前記［ＥＴＣ］は一般に二輪車への対応がなかった。
その原因は車外に設置する車載機本体への走行中の振動や、風雨走行における浸水による読み取り不備でる。
更に、特開２００３−１２３１０７号公報に掲示されているようにヘルメットに内蔵するなどのように、別途に専用の支払装置を準備しなければならず、経済的問題もある。
また、携帯電話や鉄道カード等は内部に情報の送受信を含めて殆どが収納されており、形態に便利で特に携帯電話は通信機能がある事から各種の用途に使用する事も可能でありカードは普及された。【０００６】ところが、携帯電話や鉄道の多くは、発信信号を他人に読みとられる事をなかなか防御しずらい。
【特許文献１】特開２００３−１２３１０７号公報
【０００７】現在ＥＴＣはＥＴＣセキュリティ標準規格により車載機による構成が記載されている。この事からＥＴＣに関する我が国前願は、例えば２０００−０３６０９４号不正車両検出システムから本発明出願の直近２０１０−１４３４１４号ＥＴＣ車載機本体取付治具及びＥＴＣ車載機本体取付法に至る４７出願の先願の内容、特に、特許公開２００５−１７４１９１号電子ナンバープレーとシステムおよびその補助通信機、又、特許公開２００４−３５９２０８、特許公開２００４−３５５２４０、特許公開２００４−３５５２３７、特許公開２００４−３２６４１０号は車載機によるＥＴＣであり、本発明が目的とするあらゆる情報読み取り処理の一分野として構成された所定位置の発信、及び防犯的機能、更には多様の利用可能である用途の記載も前例にはない。
【発明の開示】
【発明が解決しようとする課題】
【０００８】  本発明が解決しようとする課題は、瞬時に読取精算処理が可能であることはいうまでもなく、極めて多機能的、広範囲情報読取処理への利便性があり、使い勝手がよく、更に説明上から一例を挙げたが高速道路の走行に用いられるＥＴＣに用いれば、料金所設備・所員・バー・も不用でありり、極めておおきな経済的利益がある。結果、走行出口におけるバーの開閉遅延による事故もなく・追突事故の発生は本発明により一切発生しない。
又本発明は、現行ＥＴＣの不可欠とするカードを必用としない。
本発明の応用は、カード不要・ゲート用構造物の不用・ゲート用員の不用・更に建物の不用による電気、その他のエネルギーの不用という経済的効果があり、且つ、交通のスムーズ健全化に直接つながる。
結果、交通の流通は潤滑となり、イライラは解消され健康的被害もなく、結果として国民の健康及び巨額の節税が確実になるという効果がある。
前記、カード不用は、高速エリアに於ける買い物、食事へのカードが不用で、駐車場に設置した読み取り装置により、停車した車両のナンバープレートが読み取られ所有車は内密の暗誦記号を打てばよい。
本発明の固体識別追跡機能は特定の無線信号（例えばビーコン）によリ指定物の追尾を可能とし、又、信号の強弱を利用した事態の切迫度を通知する機能を有する防犯機能を持たせる事も可能な課金収集処理能力を提供する事も可能である。万一の場合、故意にナンバープレートの位置をずらすか、故意に破壊すれば緊急信号の発信とにり生命の危険を回避する事ができる。
【課題を解決するための手段】
【０００９】  前記課題を解決するため本発明であるる情報読取処理システムは、受送信装置、記録媒体読取装置、それらの前記各装置を御製するための記録部をもった制御装置をも組み込んだ自電源又は無電源のアンテナを有し、少なくとも前記アンテナが無線装置本体と別体、又は同体に形成されているとともに、前記アンテナと送受信装置とが有線または無線手段によりお互いに接続されている事を特徴とするシステムである。又、このエルルギーを車両等の移動、又は走行加速等により発生する風力、例えば「風車・タービン」等の自然エネルギーにより生み出し利用する事も可能である。特にこの風車式発電システムは航空機、又は新幹線に利用する事が出来る省エネという効果がある。【００１０】  また、本発明利用の一例として、無線機本体が車両のナンバープレートやその他の固体にある場合、前記無線装置と前記アンテナとが特定の条件でのみ作動条件においては、前記記録媒体読取装置によって読み取られる記録媒体の種類性能に応じて前記送受信装置に用いられる無線の種類を変化させ、前記送受信装置が行った送受信を確認する確認装置を備えられば更によい。【００１１】  なお、前記すべての装置の外に、この発明の課金清算装置への利用においては、前記車両本体が受信した外部からのシグナルに反応する送受信装置をナンバープート又は、前記アンテナに備えた事から、外部からの呼びかけに反応するシグナルを発信し、その受信種類毎に反応し、該受信への対応シグナルを発信することにより受信位置を送信者に認識する機能をも有する。【００１２】  上記、発信装置は特定のシグナルにのみ有効に反応し、その有効な呼びかけは固定又は所持移動である特定の送受信装置により得ることができる。
【発明の効果】
【００１３】  本発明によれば、アンテナと送受信装置本体を別体として用いてもよく、有線または無線手段により相互接続されるようにしたものであり、所望の送受信装置に併せて所望のアンテナを使用することになり、各種異種の用途の情報読み取り処は所持使用する事ができ、従来の携帯電話のように読取装置に近付け接近させ読み取る必要しない。【００１４】  例えば、情報読取処理に関する手段が、複数の固体により構成された例であるナンバープートである場合には、車両盗難、不正行為などにより前記ナンバープレートの設定位置が正規に設置された位置から変更された場合には、即時に前記ビーコンを含む情報読取により不正事実が送受信装置から無線機本体に送信され即時異変は発信され、すべての情報読み取りは否定される。
この状態はこの符号を付けた物体が、犯罪領域に突入した事を示し、前記防犯的機能により発信が自動的に開始されるから防犯上極めて有利である。【００１５】  なお、前記課金情報が無線機本体に内蔵され車両に固定されている事から、従来の様にカードを必要とせず、カード紛失盗難の心配もなく、支払うべき料金は使用毎即時、支払者個人の払契約指定口座に送信され料金が請求され記録媒体に記録されると同時に、別途送信装置により送信され、一定の支払契約条件により、即時、又は定時的に前記指定の口座から引き落とされるから、現金所持の必要もなく車両に乗っていればいつでも通行可能である事が保証される。
前記課金清算が遅延し、且つ、未払いが続行つづ、更に、料金が支払われなかった場合の回収として、最終的に車検取得時、これを回収する事を可能とする記憶装置と回収機能をも備えた事を特徴とする情報読取処理システム。【００１６】  加えて、前記無線装置が記録媒体読み取り装置によって読み取られる記録媒体の種類に応じて前記送受信装置に用いられる無線の種類を変化される場合には、１つの無線装置で各種の用途に使用できるので便利である。
【図面の簡単な説明】
【００１７】
【図１】本発明の好ましい実施の携帯における略図を示す説明図
【図２】本発明の異なる実施の形態における使用状態を示す説明図
【図３】本発明の別の実施の形態における使用状態を示す説明図
【図４】本発明の更に異なる実施の形態における使用状態を示す説明図
【発明を実施するための最良の形態】次に、本発明を実施するための最良の形態について説明する。【００１８】  図１は、好ましい実施の形態を簡潔に示したもので、ナンバープレイト１、無線装置本体２に少なくとも送受信装置３、記録媒体読み取り装置４、前記各装置を制御するための記録部４１、位置確認発信装置６をもった制御装置７が組み込まれていると共に、本実施の形態で例えば特定した契約により相互関係を有線、又は線連により連絡し送受信確認した後、その特定された双方に前記ナンバープレート１に装置された前記アンテナ８を通じ前記有線、又は無線により金額の入出を可能とする機能を記録部５に備える事も可能である情報読取処理システム９。【００１９】  また、本実施の形態では、前記情報読取処理システム９のすべてがアンテナ８がナンバープレート１、又は車両本体に組み込まれていることから、カードなどの必要がなく紛失盗難もない。
更に、図２が示すように車両の前後に取り付けられる２枚のナンバープレート１は、前後ペアーとして同一の電気的送受信、又は一定特別周波により同調した関係にあり、これら同調は予め一定の位置によりその効果を示するように各個設定されている事を図示したものであり、この設置位置が崩れると、本料金支払清算装置９は、支払い機能を閉ざし、唯一破壊信号、例えばビーコンによる電波が発信され、緊急事態の発生を告げる機能がある。
又、このビーコンは固定場所に限定されず、携帯式受信機により前記発信を受信し該データを記録する事が可能である。【００２０】  図３は、本実施における一つの形態を示すものである。前記送受信装置３は常に支払いに予定される補充金額を前記情報読取処理システム９の記憶媒体読取装置４に記憶し、該金額を車両本体に設置された金額支払表示装置１０に示す事が可能であり、更にこれらの機能は即時に支払い金額の保有額をも表示するから極めて管理が確実である事を図示したものである。【００２１】  図４は、本発明を二輪車の自動料金支払清算装置９に組み込んだ形態を示した一例であるが、この二輪車における場合にもナンバープレート１の位置は夫夫一定し、装着され、前記車両本体に設置された料金支払清算装置９は前記設置位置によってのみ機能を発揮する事を図示したものであり、この設置形態が破壊されると本発明は警報発信機能のみが有効となる。【００２２】  本発明の情報読取処理システムは、高速道路の走行入出にあたり、料金所施設を必要としない。全て料金は前記記載した機能により、自動的に本発明の料金支払清算装置の記録部に記録登録された後、使用者の特定した口座から随時、又は契約による期日に自動的に引き落とされ清算される。
料金請支払額の清算は本発明により設定した場所の料金検出ポイントを通過する前記ナンバープレート１に内蔵した記憶媒体を瞬時に読み取るだけでよく、送受信による支払清算済み確認及び記録により料金の清算が完了するので、支払確認によるバーの開閉が行われている現在のバー開閉システムの必要はなく、支払場所による車両走行の速度の減速は必要はないからバー開閉により生じている現在の車両の渋滞もなく、前記バーに衝突する危険もなく極めて  スムーズな走行が可能である事は前述の通りである。【００２３】  以上のように本発明は、各種、各形態の情報読取処理、及び演算が瞬時に可能であるのみか、従来の支払い、例えば一例を上げれば、現在のＥＴＣに不可欠である路側機、及び料金設備が不必用で、現行ＥＴＣ車載機、及びＥＴＣカードの必用はなく、国民利用者の金銭的負担がない。
又前述のとおり車内の美観を損なう心配もなく、機械購入費及び工事費の必要もなく利用者の不満をも解消するという利点がある。
前記支払清算に対する対応処置も、銀行又はクレジットカードの清算と同一で、本発明である情報読取処理システムにクレジット機能を特約すれば車両移動時の不意の現金必要にもなく、正にマネーカードである。
前記機能は本発明の活用の極めて狭意における表現であるが、ここで特記すべきは現在、更には来る近々における危険性の増加に対する防犯対策においても、車両が日常の人体付属品となった今日、本発明はその威力を示す事が出来る。
前述した防犯の一例は、本装置に組み込まれた位置特定発信手段の一例として、位置特定のビーコンを記載したが、本発明はそれに限定されない。
前記ビーコンに代え本装置に特殊、且つ特定の自動波長発信装置を備え、走行スピードにより回転する風力エネルギーによる磁力、又は光源的エネルギーによる領域波の発明を加える事ができれば、個別特定に契約された建物、施設等に設置した防犯器具からの発信を前記領域波で受信傍受し、特定すべき該対象物の異常の有無、又は異常を反射音波の波長又は異常波長で傍受する事も可能であり、紛失、盗難、誘拐、凶行又は放射線の発見などあらゆる捜索に役立つ事も可能である事は言うまでもない。更に自宅と離れるような場合、特定の契約により本発明ある情報読取処理システムにより各所に設置された本発明の情報読取処理システムの発信及び受信システムにより不在自宅を安全に管理をする事も極めて容易である。
【符号の説明】
【００２４】  １  ナンバープレート・          ２  無線装置本体・    ３  送受信装置
４  記録媒体読み取り装置・    ４１  記録部・    ６  位置確認発信装置
７  制御装置・  ８  アンテナ    ９  料金支払清算装置
１０  金額支払表示装置